(57)【要約】【課題】  表示モニタの明るさを常に見やすい状態とするには、周囲の明るさ変化に呼応した表示輝度制御が必要である。周囲の明るさを検出する方法として、表示モニタと同じ面には照度センサを設け、さらに表示面の裏面方向となるカメラ前方はカメラＡＥ情報を使うことが提案されている。しかし、表示モニタが可動するいわゆるバリアングルでの利用を考えたとき、カメラＡＥ情報はカメラ光軸方向の明るさであって、必ずしも注視方向の明るさと一致しないため、これまでと同じ使い方では精度低下を伴う。【解決手段】  可動する表示モニタの表示面と裏面それぞれに照度検出センサを設け、周囲の明るさを検出する。【選択図】  図１
2011085699.tif 000002
【特許請求の範囲】
【請求項１】
表示面の向きが基部に対して可変である表示手段と、
前記表示手段の表示の輝度を制御する輝度制御手段と、を有する表示装置であって、
前記表示手段の表示面の裏面上に受光部を有し、前記受光部に入射される光量を検出する第１の検出手段と、
前記表示手段の表示面と同一の面上に受光部を有し、前記受光部に入射される光量を検出する第２の検出手段と、を有し、
前記輝度制御手段は、前記第１及び前記第２の検出手段の検出結果に基づいて前記表示手段の輝度を制御することを特徴とする表示装置。
【請求項２】
前記輝度制御手段は、前記第１及び前記第２の検出手段のいずれか一方の検出結果に、他方の検出結果に基づく補正値を加えた値を用いて前記表示手段の輝度を決定していることを特徴とする請求項１に記載の表示装置。
【請求項３】
前記輝度制御手段は、前記第１の検出手段の検出結果と、前記第２の検出手段の検出結果と前記第１の検出手段の検出結果との差分に該差分の値に基づく重み付け係数を乗算した値とを、加算した値を用いて、前記前記表示手段の表示面周囲の照度を推定することを特徴とする請求項１または２に記載の表示装置。
【請求項４】
前記輝度制御手段は、前記第２の検出手段の検出結果と、前記第１の検出手段の検出結果と前記第２の検出手段の検出結果との差分に該差分の値に基づく重み付け係数を乗算した値とを、加算した値を用いて、前記表示手段の表示面周囲の照度を推定することを特徴とする請求項１または２に記載の表示装置。
【請求項５】
前記差分の値が正であるとき、前記差分の値が負であるときよりも、前記重み付け係数の値は大きくなることを特徴とする請求項３または４に記載の表示装置。
【請求項６】
請求項１乃至５のいずれか１つに記載の表示装置と、
被写体を撮像する撮像手段を有し、
前記表示手段の表示面の向きは前記撮像手段の光学系の光軸に対して可変であることを特徴とする光学機器。
【請求項７】
被写体を撮像する撮像手段と、
前記撮像手段の光学系を用いて、前記被写体の光量を検出する第３の検出手段と、
表示面の向きが前記撮像手段の光学系の光軸に対して可変である表示手段と、
前記表示手段の表示の輝度を制御する輝度制御手段と、
前記表示手段の表示面の裏面上に受光部を有し、前記受光部に入射される光量を検出する第１の検出手段と、
前記表示手段の表示面と同一の面上に受光部を有し、前記受光部に入射される光量を検出する第２の検出手段と、を有し、
前記輝度制御手段は、
前記第１の検出手段の受光部が他部材によって遮蔽されている場合、前記第２及び前記第３の検出手段の検出結果に基づいて前記表示手段の輝度を制御し、
前記第１の検出手段の受光部が他部材によって遮蔽されていない場合、
前記第１及び第３の検出手段の検出結果に基づいて前記表示手段の輝度を制御することを特徴とする光学機器。
【請求項８】
前記輝度制御手段は、前記表示手段が収納状態である場合、前記表示手段の輝度制御を行なわないことを特徴とする請求項６に記載の光学機器。
【請求項９】
前記輝度制御手段は、前記第１の検出手段の検出結果と、前記第２の検出手段の検出結果と前記第１の検出手段の検出結果との差分に該差分の値に基づく重み付け係数を乗算した値とを、加算した値を用いて、前記前記表示手段の表示面周囲の照度を推定することを特徴とする請求項６または７に記載の光学機器。
【請求項１０】
前記輝度制御手段は、前記第２の検出手段の検出結果と、前記第１の検出手段の検出結果と前記第２の検出手段の検出結果との差分に該差分の値に基づく重み付け係数を乗算した値とを、加算した値を用いて、前記表示手段の表示面周囲の照度を推定することを特徴とする請求項６または７に記載の光学機器。
【請求項１１】
前記輝度制御手段は、前記第１または前記第３の検出手段の検出結果と前記第２の検出手段の検出結果とを重み付け平均した結果と、前記第２の検出手段の検出結果と前記第１の検出手段の検出結果との差分に該差分の値に基づく重み付け係数と、前記重み付け平均で用いられた重み付け係数を乗算した値とを、加算した値を用いて前記表示手段の表示面周囲の照度を推定することを特徴とする請求項６または７に記載の光学機器。
【請求項１２】
前記差分の値が正であるとき、前記差分の値が負であるときよりも、前記差分に基づく重み付け係数の値は大きくなることを特徴とする請求項８乃至１０のいずれか１つに記載の光学機器。
【請求項１３】
前記重み付け平均で用いられた重み付け係数は、前記表示面周囲の照度の推定に用いた前記第１または前記第３の検出手段の検出結果の取得時からの経時が小さいときに、前記経時が大きい場合に比べて大きい値となることを特徴とする請求項１０に記載の光学機器。
【請求項１４】
前記表示手段に前記撮像手段からの画像をリアルタイムで表示させるリアルタイム表示モードである場合、
前記第３の検出手段の検出結果の代わりに、前記撮像手段から得られた撮影情報を用いることを特徴とする請求項６乃至１２のいずれか１つに記載の光学機器。
【発明の詳細な説明】
【技術分野】
【０００１】
本発明は、表示部の明るさ調節を行う表示装置に関するものである。
【背景技術】
【０００２】
表示装置における表示部を見るときの視認性は、周囲の明るさの影響を受けるため、従来の技術では、周囲の明るさに応じて表示部の明るさを可変することが知られている。背面に表示部を備えたカメラ等の光学機器では、撮影した画像を再生表示するときや各種設定において表示部の視認性を高めるために、表示部の明るさを可変することがなされている。周囲の明るさを検出する方法としては、カメラのＡＥ情報によるものや、照度センサを設けるものが知られている。
【先行技術文献】
【特許文献】
【０００３】
【特許文献１】特開２００６−１３２５５号公報
【発明の概要】
【発明が解決しようとする課題】
【０００４】
周囲の明るさの検出には、表示部を注視したときの表示部周辺の光量と、表示面で反射する反射光の光量を把握する必要がある。表示部周辺の光量は表示部の法線に対して、表示部裏面を中心とする方向から入射する光量であって、表示面からの反射光は、ユーザーの背面方向から表示面に入射する光量が反射したものである。
【０００５】
しかしながら、表示部が可動するいわゆるバリアングル方式では、カメラＡＥ情報はカメラ光軸方向の明るさであって、必ずしも注視方向の明るさと一致しない。そのため、従来の方式では明るさ制御の精度低下を伴う。特に、カメラ光軸方向と注視方向が９０度のときに顕著となる。
【０００６】
カメラの光軸は一般に水平方向に近い状態が多くあるので、表示部を注視したとき、注視方向は空や地面であったりすることが多い。そのため、注視方向が空であれば、表示部周辺視野は非常に明るくなり、表示部の明るさも高くしなければ暗くて見難い。また注視方向が地面であれば、表示部周辺視野は暗く、表示部の明るさは前記注視方向が空である時に比較して低めにすることが必要となる。
【０００７】
上述した課題に鑑み、本発明の目的は、表示部が可動するバリアングル方式の表示装置で精度の高い明るさ制御を実現する表示装置を提供することである。
【課題を解決するための手段】
【０００８】
上記目的を達成するために、本発明の表示装置は、請求項１に記載の通り、表示面の向きが基部に対して可変である表示手段と、前記表示手段の表示の輝度を制御する輝度制御手段と、を有する表示装置であって、前記表示手段の表示面の裏面上に受光部を有し、前記受光部に入射される光量を検出する第１の検出手段と、前記表示手段の表示面と同一の面上に受光部を有し、前記受光部に入射される光量を検出する第２の検出手段と、を有し、前記輝度制御手段は、前記第１及び前記第２の検出手段の検出結果に基づいて前記表示手段の輝度を制御することを特徴とする。
【０００９】
また、本発明の光学機器は、請求項６に記載の通り、被写体を撮像する撮像手段と、前記撮像手段の光学系を用いて、前記被写体の光量を検出する第３の検出手段と、表示面の向きが前記撮像手段の光学系の光軸に対して可変である表示手段と、前記表示手段の表示の輝度を制御する輝度制御手段と、前記表示手段の表示面の裏面上に受光部を有し、前記受光部に入射される光量を検出する第１の検出手段と、前記表示手段の表示面と同一の面上に受光部を有し、前記受光部に入射される光量を検出する第２の検出手段と、を有し、前記輝度制御手段は、前記第１の検出手段の受光部が他部材によって遮蔽されている場合、前記第２及び前記第３の検出手段の検出結果に基づいて前記表示手段の輝度を制御し、前記第１の検出手段の受光部が他部材によって遮蔽されていない場合、前記第１及び第３の検出手段の検出結果に基づいて前記表示手段の輝度を制御することを特徴とする。
【発明の効果】
【００１０】
表示部裏面と表示面それぞれに設けた照度センサにより周囲の明るさを検出することで、精度の高い明るさ制御が可能となる。
【図面の簡単な説明】
【００１１】
【図１】第１の実施形態の電気システムを示すブロック図
【図２】第１の実施形態のデジタルカメラの外観を示す図
【図３】第１の実施形態の液晶輝度制御処理のフローチャート図
【図４】第１の実施形態の輝度確定処理のフローチャート図
【図５】第１の実施形態の重み付け処理のフローチャート図
【図６】第２の実施形態の輝度確定処理のフローチャート図
【図７】第２の実施形態の重み付け処理のフローチャート図
【図８】第３の実施形態の液晶輝度制御処理のフローチャート図
【図９】第３の実施形態の重み付け処理のフローチャート図
【発明を実施するための形態】
【００１２】
（第１の実施形態）
第１の実施形態は、液晶表示部の表示面近傍とその裏面にそれぞれ照度センサを設け、これら２つの照度センサにより周囲の明るさを検出するものである。
【００１３】
さらに、本実施形態では、液晶表示部がカメラ背面に収納された状態では一方の照度センサは適切な出力が得られないため、カメラのＡＥ情報を使って照度計測を行う。
【００１４】
図１は、本実施形態に適用できる表示制御装置の一例としてデジタルカメラの構成を示すものである。７は全体の制御を行うマイクロコンピュータ（以下、マイコンと略記す：制御手段）、１はＣＣＤまたはＣＭＯＳエリアセンサ等からなる撮像部、２は撮像部１からの画像信号を処理する画像処理部である。８は画像処理部２からの画像を表示部に表示する画像表示部、３は複数の画像データを保存する不揮発性の記憶部材からなる外部記憶部である。
【００１５】
撮像部１は、レンズ５の光学系を通じて、撮影領域からの光束を撮像素子上に結像させており、撮像素子はこれを光電変換し電気的信号として画像処理部２へ出力する。本実施形態では、撮像部１、レンズ５を併せて撮像手段とする。
【００１６】
画像処理部２は、Ａ／Ｄ変換機能を備え、撮像部１からの信号をＡ／Ｄ変換した後、暗電流補正やシェーディング補正などの撮像部１に起因する一連の補正を行う。２さらに、ローパスフィルタによりノイズ成分を除去し、画素および色補間処理、ホワイトバランスやガンマ補正等、いわゆる絵作りに関する一連の画像処理を行う。
【００１７】
外部記憶装置３は、例えばＣＦカード、ＳＤカードのような複数の画像データの保存を行える不揮発性の記憶部材であって、本システムから着脱可能である。すなわち、本システムに装着した状態で画像処理部２から出力される画像データが記憶され、これを１つまたは複数の撮影画面分行った後に、本システムから取り外すことができる。記憶された画像データは本システムのデータ形式で読み出し可能な別のシステムに装着して記憶されているデータの再生や編集、保存を行える。また、再度装着することで、本システムのデータ形式で読み出し可能な画像データであれば、読み出し後、画像処理部２にて最適な処理を行い、画像表示部８での表示を行うことができる。
【００１８】
測光センサ４は、レンズ５に入射される光速の明るさを検出し、検出結果をマイコン７に送る。撮影時の被写体およびその周囲からの光量が、カメラに装着したレンズを透過して照射される。カメラはこの測光センサ４の出力に基づいて、ＩＳＯ感度、シャッター速度ＴＶ、絞りＡＶの関係を成り立たせている。この関係が成り立つことで、最適な明るさで撮影することができる。
【００１９】
測光センサ４の出力はＥＶ：Ｅｘｐｏｓｕｒｅ  Ｖａｌｕｅ（＝Ｌｉｇｈｔ  Ｖａｌｕｅ）値として出力され、下記関係が成り立つ。
ＥＶ＝ｌｏｇ２（Ｆ＾２／Ｔ）
Ｆ：レンズ絞り（ＡＶ）
Ｔ：露出時間（秒）（ＴＶ）
このＥＶ値は、レンズ絞り（Ｆ）と露光時間（Ｔ）で決まる値であり、さらに撮像素子の感度補正により決まるＩＳＯが加わる。ＥＶ値から照度への換算は公知の関係式により求めることができる。
【００２０】
焦点検出部６は、結像面近傍に配置されたフィ−ルドレンズ、反射ミラ−、２次結像レンズ、絞り、複数の光電変換素子らかなるＣＣＤ等のラインセンサから構成されている。本実施例における焦点検出部は周知の位相差方式であるとともに、観察画面内（ファインダ視野内）の複数の領域を測距点として、該測距点が焦点検出可能となるように構成されている。レンズ５には、焦点調節回路、絞り駆動回路が組み込まれており、不図示のマウント接点を介してマイコン７と信号の伝達がなされる。マイコン７は焦点検出部６からの出力に基づき、撮影レンズ５に内蔵の焦点調節回路を動作し最適な焦点調節となる信号を出力する。また、測光センサ４より得られる明るさに応じた出力に基づいて、レンズ５に内蔵の絞り駆動回路を動作し最適な露光量となる信号を出力する。
【００２１】
マイコン７は、たとえば、内部にＣＰＵ（中央演算処理部）、ＲＡＭ、ＲＯＭ、不揮発性メモリ、入出力ポ−ト等が配置されたワンチップのコンピュ−タである。マイコン７は、ＲＯＭに格納されたシ−ケンスプログラムに基づいて、一連の動作を行う。マイコン７に内蔵の不揮発性メモリには、露出制御や焦点調節に関する調整値等を含む一連のカメラの制御パラメ−タや、撮像素子の調整値、撮影画像のホワイトバランスから画像表示部８に撮影画像を表示する際の制御値などが格納されている。
【００２２】
画像表示部８へは、画像処理された撮像部１からの撮影画像データや、外部記憶装置３に記録された撮影画像データが表示のための一連の処理を行った後に出力される。
【００２３】
画像表示部８へ出力するための一連の処理を行う画像処理部２は、ホワイトバランス（ＷＢ）調整部、リサイズ部、ＶＲＡＭ部からなる（何れも不図示）。ホワイトバランス（ＷＢ）調整部では、領域抽出および平均輝度検出部からの出力に基づいて、表示画像のホワイトバランス（ＷＢ）を調整する。その後、リサイズ部にて液晶表示部に表示可能な解像度に解像度変換したのち、ＶＲＡＭ部に一旦格納し、画像表示部８に出力される。
【００２４】
画像表示部８は、液晶制御部９と液晶表示部１１、バックライト１０が内部に構成されている、可動式の表示部である。図２に示すように、画像表示部８全体が本体（基部）とヒンジ等の接続部で接続されており、接続部を軸として左右方向、上下方向（天地の方向）に独立して回転可能に取り付けられている。これにより、液晶表示部１１の表示面の向きが基部に対して可変となり、ユーザは様々な姿勢で画面を確認しながら撮影、あるいは再生画像の確認をすることが可能となる。なお、画像表示部８の可動のための構成は本実施形態の構成に限らず、本発明は適用できる。また、本実施形態で可動である左右、天地方向への自由度に限らず、表示面が基部に対して向きを可変とするものであれば、本発明は適用できる。本実施形態で例示しているカメラ等の光学機器では、特に撮像部の光学系の光軸に対して表示面の向きが可変であるようなものには、より好適な輝度制御のために、本発明の構成が有効である。液晶制御部９は、液晶表示画像を最適化するための信号処理部と液晶表示駆動をするための液晶ドライバー部からなる。この液晶制御部９には、ホワイトバランス（ＷＢ）調整部、コントラスト調整部、γ補正部、ＤＡ変換部などが含まれていて、画像処理部２からの出力を受けて、一連の信号処理の後、液晶表示部１１へ出力する信号形式に変換される。液晶ドライバー部は、ＤＡ変換部にてＤＡ変換された画像データに同期させて、液晶表示部１１を駆動する信号を出力する。液晶表示部１１は、透過型の液晶表示パネルからなる電気光学部であって、ここではＴＦＴ型液晶が使われている。
【００２５】
液晶表示部１１の表示内容はバックライト１０の照明により視認できる。液晶表示画像の明るさはバックライト１０の明るさに応じて変化する。液晶表示部１１に表示する画像データには、先述の撮像部１からの画像データのほかに、外部記憶装置３に記憶した画像データや、カメラの設定情報がある。
【００２６】
本実施形態では、バックライト１０は複数のＬＥＤと光学部材で構成されている。ＬＥＤの駆動制御は、定電流およびマイコン７からのＰＷＭ制御信号によるオン−オフ制御によりなされ、点灯輝度可変は、そのデューティー比を変えることにより行うが、フルオンも可能であって、その時は定電流による常時オンとなる。このときバックライト輝度は最大となる。
【００２７】
本実施形態では、画像表示部８の周辺の明るさを検出するために、２つの照度センサを設けている。後述する図２に示す外観図にあるように、１つは画像表示部の表示面の裏面上に設置されている第１の照度センサ１２（第１の検出手段）、もう１つは画像表示部の表示面と同一の面上に設置されている第２の照度センサ１３（第２の検出手段）である。これら第１及び第２の照度センサ１２及び１３の出力は、マイコン７のＡＤ変換部に接続されている。どちらも、受光窓を透過した光が入射し、その光量に比例した出力となる。
【００２８】
周囲の明るさと第１または第２の照度センサの出力との関係は次の式で示される。
周囲の明るさ（照度）＝照度センサ出力／（センサ感度×受光窓の透過率）
本実施形態では、第１または第２の照度センサ１２及び１３を使って１０Ｌｘから２万Ｌｘの明るさを測定することができるとする。この測定範囲は、透過形液晶では、可変しうる輝度の範囲を充分にカバーしている。マイコン７はＡＤ変換した結果を使い、上記関係式より明るさを算出している。
【００２９】
図２を使ってカメラの操作部材および表示部について説明する。図２は本発明を適用したデジタルカメラを背面より見た外観図である。カメラ背面に装着した表示部は「バリアングル」方式と呼ばれるものであって、ユーザーの操作に従って開閉および、表示面の回転が可能であり、固定式に比べて、表示部をユーザーの意図する位置や角度とすることができる。
【００３０】
図２（ａ）は液晶表示部１１がカメラ前方を向いておりユーザーには表示裏面が見えている、いわゆる格納状態である。図２（ｂ）は表示動作が可能な状態であって、必要時には液晶表示部１１に画像やカメラ設定のための画面が表示される。
【００３１】
図２（ｃ）は、表示部固定式とほぼ同じ位置となるよう、画像表示部８を稼動させた状態であって、表示動作は可能である。このとき、図２（ｂ）の状態から画像表示部８を鉛直方向に１８０°回転し、さらに水平方向に回転させている。当然ながら図２（ｂ）とは表示装置の天地および左右方向が逆転しているが、カメラは表示内容に違いがないように処理を行っている。
【００３２】
本発明の特徴部分である第１の照度センサ１２は、液晶表示部１１の背面に設けられており、主に液晶表示部１１を注視しているとき、カメラ周囲の明るさのうち、表示部周辺、ユーザー周辺視野に入射する光量を検出する。第１の照度センサ１２は、受光部とその内部に照度センサ本体が組み付けられており、受光部を透過した光が照度センサ本体に照射される。図２（ａ）にある状態では、液晶表示部１１そのものがカメラ背面の格納部に収納された状態となるため、周囲の明るさを測定する必要はない。
【００３３】
図２（ｂ）に示すように、第２の照度センサ１３は、液晶表示部１１の表示面の近傍に設けられており、主に、液晶表示部１１を注視しているとき、カメラ周囲の明るさのうち、ユーザーの背後から入射し表示面で反射する光量を検出する。第２の照度センサ１３も受光部とその内部照度センサ本体が組み付けられており、受光部を透過した光が照度センサ本体に照射される。
【００３４】
図２（ｂ）に示す液晶表示部１１の状態は、本実施形態のようなバリアングル方式の画像表示部を持つカメラの優位性を活かした使用方法である。、このとき、本実施形態では第１の照度センサ１２が液晶表示部１１の背面に設置されていることで、常にユーザーの注視方向から入射する光量を検出することができる。これにより、バリアングル方式の液晶に対しても常に好適な照度調節を可能とする。
【００３５】
図２（ｃ）では、第１の照度センサ１２は他部材であるカメラ本体に遮蔽されるため、その検出結果を用いて周囲の明るさを適切に測定することはできない。このとき、本実施形態ではカメラのＡＥ情報あるいは撮影画像による明るさ情報から明るさを求めることで照度検出の精度を補っている（詳細は後述する）。第２の照度センサ１３による検出内容は図２（ｂ）と同じである。
【００３６】
次に、図３〜図５を使ってカメラの液晶表示部の明るさの設定について説明する。図３は画像表示部８の点灯から消灯までの液晶自動輝度制御処理のフローチャート図である。この処理は電源投入時、液晶表示部１１の使用開始時、液晶表示部１１の収納状態からの復帰時など、液晶表示部１１の使用開始をトリガーにして開始される。マイコン７の指示により各部で処理が行われる。画像表示部８の明るさは液晶表示部１１への「γ」処理とマイコン７から制御されるバックライト１０により決まる。
【００３７】
Ｓ３０１、Ｓ３０３では、液晶表示部１１のカメラ収納状態を判断する。
【００３８】
図中表示状態１とは、図２（ｂ）に示すように、画像表示部８がユーザーの使用状況に併せて左右、天地を自由に調節した状態を指す。このとき、第１の照度センサ１２はユーザが液晶表示部１１を注視するときの注視方向の照度を検出することができる状態にある。よって、表示状態１では第１の照度センサの情報を取り込み、表示部裏面方向の明るさ情報とする（Ｓ３０２）。
【００３９】
図中表示状態２とは、図２（ｃ）の状態を指し、このとき第１の照度センサ１２は格納状態にあるため、使用できないが、画像表示部裏面方向がちょうどカメラの撮像光学系の光軸方向に相当する。従ってＳ３０３では表示状態２であるかどうかを判定し、表示状態２であった場合、撮像時の測光センサ４（第３の検出手段）の測光情報を取り込み（Ｓ３０４）、表示部裏面方向の明るさ情報を算出する（Ｓ３０６）。
【００４０】
このように第１の照度センサ１２あるいは測光センサ４によって表示部裏面方向の明るさ情報を取り込んだ後、第２の照度センサ１３の情報を取り込む（Ｓ３０６）。そして、これら２つのセンサ情報を使って周囲の明るさを求め、それに適した液晶輝度を確定する（Ｓ３０８）。Ｓ３０８の輝度確定処理については後に詳細に述べる。
【００４１】
表示時の液晶輝度が確定したので、その明るさとなるようバックライトの駆動条件：ＰＷＭデューティ比と表示する画像のγを予め用意しているテーブルデータから求め、液晶の明るさに反映する（Ｓ３０９）。これらの内容を消灯となるまで繰り返す（Ｓ３１０）。消灯は、所定時間経過後に自動的に行う機能と、ユーザーのスイッチ操作によるときとがある。液晶輝度自動制御のオン−オフはユーザーのスイッチ操作により可能であって、オフ時にはこれらの処理は行われない。
【００４２】
Ｓ３０３にて表示状態２でないときは、図２（ａ）示すように画像表示部８が格納された状態であって液晶表示部１１は隠れているので、このときは消灯し（Ｓ３１０）、処理を終了する。
【００４３】
図４は図３のＳ３０８に示した輝度確定処理の動作の流れを示すものである。液晶表示部１１の表裏面にそれぞれ設けられた第１及び第２の照度センサ１２、１３から表示面照度と表示裏面照度の差分を求め、差分値に基づいて周囲照度を算出する。
【００４４】
まず、第１の照度センサ１２あるいは測光センサ４によって得られた明るさ情報と第２の照度センサ１３によって得られた明るさ情報の差分Δを求める（Ｓ４０１）。Δは表示面照度をＥｆ、表示裏面照度をＥｂとしたとき、Δ＝Ｅｆ−Ｅｂで表される。このとき、照度センサによる明るさ情報と測光センサ４による明るさ情報のそれぞれについて、必要であればまず単位共通化を行う。単位共通化については、照度センサの出力からは照度Ｌｘが、測光センサ情報はカメラで一般的に使われる測光センサ４の出力がＥＶ値であれば、通常使われる変換式にて照度Ｌｘに換算する。測光情報がＡＥ値として保持されているときは、ＩＳＯ感度、ＴＶ値、ＡＶ値から通常使われる換算式にて照度ＬＸに換算する。
【００４５】
次に、Ｓ４０１で求めた結果を使って、Δの評価値βを求める（Ｓ４０２）。詳細は図６にて説明する。
【００４６】
Ｓ４０３では、周囲照度を算出する。より正確には液晶表示部１１の輝度調節に用いるために、ユーザの注視方向等も考慮した表示面周囲の照度の推定値である。本実施形態では、液晶表示部１１に対して従来の表示面方向の照度（表示面照度）に加えて、新たに表示裏面方向の照度（表示裏面照度）を得ることができる。この２つの照度から周囲照度を求める場合、表示面照度を基準として表示裏面照度による影響を加味する方法と、表示裏面照度を基準として表示面照度による影響を加味する方法の２通りが考えられる。つまり、いずれか一方の照度を基準として他方の照度に基づく補正値を加算することで算出する。どちらでも、表示面照度のみを周囲照度とする従来法よりは正確な周囲照度の算出ができるが、ユーザの注視方向である表示裏面方向の照度を基準とした方が、より液晶表示部１１をユーザにとって好適な輝度に調節するための周囲照度の算出を実現できる。そこで本実施形態では、第２の照度センサ１３による表示裏面照度を基準に、表示面照度と表示裏面照度の差分Δを重み付け係数βで乗算することで重み付けした値で調整を行っている。すなわち、表示面周囲の照度をＥｓとすると、
Ｅｓ＝Ｅｂ＋｜Δ｜×β
によって周囲照度を算出する。ちなみに表示面照度を基準として周囲照度を算出する場合は、上記の式の表示裏面照度を表示面照度に置き換えればよい。すなわち、
Ｅｓ＝Ｅｆ＋｜Δ｜×β
となる。
【００４７】
Ｓ４０４では、Ｓ４０３で確定した周囲照度から、それに適した液晶輝度の設定を行う。本実施形態では、周囲照度と、それに適した液晶輝度の関係は予め用意しているテーブルデータから求めているが、両者の関係を表す所定の演算式により求めても良い。
【００４８】
図５は図４のΔの評価値βの決定処理（Ｓ４０３）のフローチャート図を示している。βは前述した周囲照度の演算式におけるΔへの重み付けを決める値であり０≦β≦１である。第１の照度センサ１２または測光センサ４いずれかからによる表示裏面方向の明るさ情報と、第２の照度センサ１３により表示面方向の明るさ情報とを比較してβを求めている。
【００４９】
まず、図４のＳ４０２で得られたΔが正であるかどうかを判定し（Ｓ５０１）、Δ＞０であれば、βを１とし（Ｓ５０２）、Δ≦０であるときはβを０．５とする（Ｓ５０３）。すなわち、ユーザから見て、表示面方向の明るさが表示裏面方向の明るさより大きい順光状態のとき、逆の関係にある逆光状態に比べてΔを大きくし、後述する周囲照度の演算式におけるΔの寄与度を逆光状態に比べて高くする。本実施形態では順光状態（Δ＞０）であるときβ＝１、逆光状態（Δ≦０）であるときβ＝０．５としたが、これに限らず、順光状態と逆光状態でのβの大小関係が上記のようになっていれば、βの各値は適宜設定可能である。
【００５０】
以上のように、本実施形態では、バリアングル方式の画像表示部に対して表示面と表示裏面に照度センサを設けることで、ユーザーがどの状態（角度）で画像表示部を使用していても、好適な輝度調節ができる。また、本実施形態ではさらに、液晶表示裏面方向の明るさ情報は、画像表示部の状態によりその情報源が表示裏面に設けられた照度センサと撮像光学系による測光情報のいずれかに選択されるようにしている。これにより表示裏面が隠れている（収納状態にある）ような状態であっても、適切な輝度調節を行うことができる。
【００５１】
さらに、表示面方向と表示裏面方向の２つの明るさ情報に基づいて、ユーザが液晶表示部を順光状態、逆光状態のいずれで見ているのかを判別し、周囲の明るさの算出に反映させる。これにより、２つの情報を効果的に輝度調節に反映させ、より好適な輝度調節を実現している。
【００５２】
（第２の実施形態）
本実施形態は、第１の実施形態で示したような周囲照度の算出にあたって、さらに表示裏面照度の信頼性も考慮したものである。
【００５３】
図６は図３のＳ３０８に示した輝度確定処理の動作の流れを示すものである。図に示すように、第１の実施形態における輝度確定処理（図４）に比べて、Ｓ６０１として表示裏面照度の信頼性に基づく重み付け係数αを決定する決定処理が挿入されている。αの決定処理についての詳細を図７で説明する。
【００５４】
図７は図６の重み付け係数αの決定処理（Ｓ６０１）の処理内容を示している。ここでは、第１の照度センサ１２あるいは測光センサ４による液晶表示部１１の裏面方向（表示裏面方向）の明るさ情報、表示裏面照度の信頼性に対応する重み付け係数αを求める。まず、画像表示部８が表示状態１であるか否かを判別する（Ｓ７０１）。画像表示部８が表示状態１（図２（ｂ））であるとき、第１の照度センサ１２は、受光部に入射される光量をリアルタイムで測定しているため、その情報の信頼性としての重み付け係数αは常に１としてよい（Ｓ７０３）。画像表示部８が表示状態１でなく、表示状態２（図２（ｃ））であるときには、前述したように表示裏面方向となるカメラ前方の明るさ情報はカメラの測光センサ４の測光情報により得る。このとき、測光情報は通常撮影時に得られるものであるから、測光情報の取得時から現在までの経時の程度によりその信頼性を評価し、重み付け係数αを求める。
【００５５】
すなわち、表示状態１でなかった場合、メインの処理を考慮すると表示状態２であることが確定するので、現在得られた表示裏面照度は測光情報に基づいていることが確定する。よってここからは得られた測光情報の経時の程度を判別する。まず、表示モードがクイックレビューであるか否かを判断する（Ｓ７０２）。クイックレビューとは、ユーザーが撮影した直後に今撮影した画像を確認できるように即座に表示するもので、クイックレビューであれば、撮影直後の表示であるから、取得時からの経時は小さいとして重み付け係数αを１とする（Ｓ７０３）。クイックレビューでないとき、すなわち、再生表示ボタンなどの操作に応じた画像の表示やメニュー画面の表示であるときは、経時の程度を判別条件とする（Ｓ７０４）。直前の撮影からの経時が所定値より小さいときは、重み付け係数αを０．５とする（Ｓ７０５）。所定値より大きいときは、重み付け係数αを０とする（Ｓ７０６）。このように本実施形態では、クイックレビュー時以外の、直前の撮影、すなわち測光情報の取得時からの経時の程度の判断を所定値未満、所定値以上の２択としたが、これに限らず、経時の程度により段階的にαを決定しても良い。この場合、経時が小さいほどαの値は１に近づく大きな値になっていくように設定すればよい。
【００５６】
上述した図６のＳ４０３における周囲照度の算出式も表示裏面照度の信頼性を考慮して定義する。すなわち、本実施形態における周囲照度は
Ｅｓ＝α×Ｅｂ＋（１−α）×Ｅｆ＋｜Δ｜×α×β
で表される。このように重み付け係数αは表示面照度と表示裏面照度の重み付け平均に用いられる重み付け係数である。基準とする照度の割合を表示裏面照度と表示面照度でα：１−αで重み付け平均すると同時に、表示裏面照度の値も寄与しているΔを含む演算にも、αを反映させている。表示裏面照度の信頼性が高く、α＝１であるときは、表示裏面照度を基準とした第１の実施形態と同じ式ができる。逆に表示裏面照度の信頼性がなく、α＝０であるときは、周囲照度＝表示面照度となり、表示面照度の情報のみを用いて周囲照度を算出することで、本発明によって却って従来法よりも精度が落ちてしまうようなケースを避ける。
【００５７】
以上、本実施形態では、第１の実施形態で得られる効果に加えて、表示裏面照度の信頼性を考慮することで、より正確な周囲照度の算出、それによるより好適な表示部の輝度調節を実現している。
【００５８】
（第３の実施形態）
第１及び第２の実施形態は、メニュー画面表示や、撮影した画像を再生表示するときに表示の明るさを決めるための明るさ情報の取得とそれに基づく表示部の明るさ制御に関するものであった。本実施形態では、撮像装置本体に撮像部の出力をリアルタイムで画像表示部に表示するリアルタイム表示モードの機能が備えられている場合の、リアルタイム表示モードにおける輝度調節も考慮した輝度調節処理を示す。リアルタイム表示モードを備えた光学機器には、別途測光センサを備えた１眼レフカメラの他に、別途測光センサを備えず、撮像素子からのみ測光情報を得るようなカメラも考えられる、つまり電子ビューファインダのみを備えたカメラやビデオカメラなどである。もちろん、本発明を適用できる光学機器はこれに限らない。リアルタイム表示モードを備える光学機器では、測光センサによる測光情報の有無に関わらず、撮像素子から得られる撮影情報から常にリアルタイムで測光情報を得ることができる。そのため、測光情報の代わりに撮影情報から表示裏面方向の明るさ情報（表示裏面照度）を算出できる。本実施形態では、測光センサ、リアルタイム表示モードどちらも有する１眼レフカメラを主として説明する。
【００５９】
図８は図３にＳ８０１、Ｓ８０２、Ｓ８０３の処理が加わったものである。ここではその差の部分のみ説明する。
【００６０】
画像表示部８が表示状態２であったとき、次に画像表示のモードがリアルタイム表示モードであるかどうかを判定する（Ｓ８０１）。リアルタイム表示モードであるときには、撮影情報を取り込み（Ｓ８０２）、表示裏面方向の明るさ情報を算出する（Ｓ８０３）。リアルタイム表示モードでなければ、第１または第２の実施形態と同様に処理を進める。
【００６１】
また図８のＳ３０７の輝度確定の処理の流れ等ほとんどの処理は図３と同じであるが、重み付け係数αの決定処理に第２の実施形態と違いがある。
【００６２】
図９は重み付け係数αの決定処理のフローチャート図を示したものである。図９では図７にリアルタイム表示モード時の対応（Ｓ９０１）が組み込まれている。すなわちリアルタイム表示モードであれば重み付け係数α＝１とし、それ以外の場合は、図７に示した第２の実施形態と同様に処理を行う。また、本実施形態ではリアルタイム表示モードと測光センサを備えた光学機器について説明しているが、測光センサを備えていない場合、第１の照度センサ１２が収納状態であっても測光情報は取得できない。よって、リアルタイム表示モードでないときには表示面照度のみで周囲照度の算出を行うようにすればよい。以上のように、本実施形態では、第１または２の実施形態の状況に加えて、表示状態２（図２（ｃ））のようなシチュエーションにおいて、リアルタイム表示モードでリアルタイムに得られる撮影情報を利用して表示裏面方向の明るさ情報（表示裏面照度）を検出する。これにより、画像表示部の収納状態に関わらず、より好適な液晶表示部の輝度調節を実現することができる。
【００６３】
（変形例）
本発明は、デジタルカメラに限らず、カメラ以外の光学機器や他の装置などの表示部であり、明るさを可変できるものであれば適用できる。また、液晶表示器に限らず、表示機能を有するものであれば適用でき、例えば有機ＥＬを使った表示器であってもよい。有機ＥＬは自発光型素子であるため、実施例にある透過型の液晶とは異なり、バックライトによる表示部の明るさ制御ではなく、表示のための発光部の明るさ制御となる。
【符号の説明】
【００６４】
１  撮像部
４  測光センサ
７  マイコン
８  画像表示部
９  液晶制御部
１１  液晶表示部
１２  第１の照度センサ
１３  第２の照度センサ
【図１】
2011085699.tif 000003
【図２】
2011085699.tif 000004
【図３】
2011085699.tif 000005
【図４】
2011085699.tif 000006
【図５】
2011085699.tif 000007
【図６】
2011085699.tif 000008
【図７】
2011085699.tif 000009
【図８】
2011085699.tif 000010
【図９】
2011085699.tif 000011